(57)【要約】【課題】円形フレームの良好な握持保持性を図りながら、握持保持時の危険回避とレベルワインド機構を強度的に保護すること。【解決手段】魚釣用リール１０は、左右に側枠１４，１６を有するフレーム２０を備えるリール本体１２と、このリール本体の一側に設けられ釣糸巻回用スプール２８を巻取り駆動するハンドル４２と、前記スプールの前方の側枠間にハンドル操作に連動して左右に往復動するラインガイド３６を有するレベルワインド機構Ｌとを有する。そして、前記リール本体１２の少なくとも反ハンドル４２側の側枠１６ａを円形に形成するとともに、前記ラインガイドを囲う支柱６４ａ，６４ｂを有する保護フレーム６４が取り付けられている。【選択図】      図３
2010081883.tif 000002
【特許請求の範囲】
【請求項１】
左右に側枠を有するフレームを備えるリール本体と、このリール本体の一側に設けられ釣糸巻回用スプールを巻取り駆動するハンドルと、前記スプールの前方の側枠間にハンドル操作に連動して左右に往復動するラインガイドを有するレベルワインド機構とを備えた魚釣用リールであって、
前記リール本体の少なくとも反ハンドル側の側枠を円形に形成するとともに、前記ラインガイドを囲う支柱を有する保護フレームが設けられていることを特徴とする魚釣用リール。
【請求項２】
前記保護フレームは、前記リール本体に対して着脱可能であることを特徴とする請求項１に記載の魚釣用リール。
【請求項３】
前記保護フレームは、前記左右に往復動するラインガイドを囲う窓状開口部を形成する対向する２つの支柱を有することを特徴とする請求項１もしくは請求項２に記載の魚釣用リール。
【請求項４】
前記支柱の外周面は、円形の側枠の外周面よりも径方向外側に、前記円形の側枠の中心を基点とする円弧面として形成されていることを特徴とする請求項１ないし請求項３のいずれか１に記載の魚釣用リール。
【請求項５】
前記支柱の外周面は、前記ハンドルと反対側の側枠の外周面よりも径方向外側に配置されていることを特徴とする請求項１ないし請求項３のいずれか１に記載の魚釣用リール。
【発明の詳細な説明】
【技術分野】
【０００１】
本発明は、魚釣用リールに関し、特に、左右に側枠を有するフレームを備えるリール本体の一側に釣糸巻回用スプールを巻取り駆動するハンドルが設けられた魚釣用リールに関する。
【背景技術】
【０００２】
釣糸が巻回されるスプールを回転自在に支持する両軸リールのリール本体は、側枠間を複数の支柱で一体的に連結形成したフレームと、このフレームの側枠の側部に装着される側板とで構成されている。  
リール本体は前後方向に長い異形タイプがあるが、握持保持のときに保持する位置的な面で制約が生じやすい。そこで、側面視円形の側枠および側板からなる円形タイプのベイキャスティングリールが広く知られており、スプール前方の側枠間にスプールに釣り糸を平行に巻回するレベルワインド機構のラインガイドが配設されている（例えば特許文献１参照）。
【特許文献１】実開平４−４１２６３号公報
【発明の開示】
【発明が解決しようとする課題】
【０００３】
特許文献１に開示された円形フレームの場合、形状的制約なく握持保持できるメリットはあるが、レベルワインド機構が装備されるフレーム前方部の保護面での配慮に欠け、ハンドル操作に連動して左右に往復動するラインガイドが大きく露出しているため、以下の問題がある。第１に、リール本体を握持保持したとき、手の親指がラインガイドに接触し易く危険であるとともに、ラインガイドを意識しすぎると保持性が劣ってしまう。第２に、釣り場での移動中などに誤って落下させてしまった場合、ラインガイドに傷が付いたり、折損したり、作動不良が発生し易くなる。第３に、フレーム内側面とラインガイドとの間に異物が挟まり易く、作動不良を生じ易い。
【０００４】
本発明は、このような事情に基づいてなされたもので、円形フレームの良好な握持保持性を図りながら、握持保持時の危険回避とレベルワインド機構を強度的に保護することを目的とする。
【課題を解決するための手段】
【０００５】
上記目的を達成するために、本発明に係る、左右に側枠を有するフレームを備えるリール本体と、このリール本体の一側に設けられ釣糸巻回用スプールを巻取り駆動するハンドルと、前記スプールの前方の側枠間にハンドル操作に連動して左右に往復動するラインガイドを有するレベルワインド機構とを備えた魚釣用リールにおいては、前記リール本体の少なくとも反ハンドル側の側枠を円形に形成するとともに、前記ラインガイドを囲う支柱を有する保護フレームが設けられていることを特徴とする。
【０００６】
また、前記保護フレームは、前記リール本体に対して着脱可能であることが好ましい。  
前記保護フレームは、前記左右に往復動するラインガイドを囲う窓状開口部を形成する対向する２つの支柱を有することが好ましい。  
前記支柱の外周面は、円形の側枠の外周面よりも径方向外側に、前記円形の側枠の中心を基点とする円弧面として形成されていることが好ましい。  
前記支柱の外周面は、前記ハンドルと反対側の側枠の外周面よりも径方向外側に配置されていることが好ましい。
【発明の効果】
【０００７】
リール本体にラインガイドを囲う支柱を有する保護フレームを取り付ける構造とすることによって、握持の際の位置制約のない円形フレームの良好な握持保持性の維持を図りながら、ラインガイドの握持保持した手の指の接触防止を図って危険を回避できるとともに、レベルワインド機構を外力や異物侵入から強度的に保護できる。また、保護フレームをリール本体に着脱可能に構成することにより、フレームの加工を容易にできる。また、支柱を有する保護フレームにリール本体の他のフレームと異なった材質選定が可能となり、釣り人が魚釣用リールを保持したときの保護（安全性確保）及び外観のバリエーションを向上できる。さらに、実用経過に伴う部品交換等のメンテナンス性を向上できる。
【０００８】
側枠のうち、ハンドルと反対側の側枠が円形を有し、保護フレームの２つの支柱の外周面が円形の側枠の外周面よりも径方向外側に、円形の側枠の中心を基点とする円弧面として形成されていることによって、側枠外周の切削加工と連続的に支柱外周の切削加工も行えるので、加工が容易であるとともに、統一感の取れたバランスの良い外観が得られる。
【０００９】
支柱の外周面がハンドルと反対側の側枠の外周面よりも径方向外側に配置されていることによって、支柱内へラインガイドを充分収容配置でき、握持保持した手の指の接触防止を図ることができ、レベルワインド機構を外力や異物侵入から確実に保護できる。
【発明を実施するための最良の形態】
【００１０】
以下、図面を参照しながらこの発明を実施するための最良の形態について説明する。  
第１の実施の形態について図１ないし図３を用いて説明する。
【００１１】
図１から図３に全体を示すように、魚釣用リール１０のリール本体１２は、左右一対の側枠１４，１６を釣竿Ｒが取り付けられるリール取付脚部２６で連結して一体の枠体構造を形成するフレーム２０を有し、この側枠１４，１６のそれぞれの外側に外側板２２，２４を取り付けてハウジングとして形成されている。なお、リール取付脚部２６は別体として形成し、ネジ締結等によりこれに側枠１４，１６を連結しても良い。また、外側板２４は側枠１６と一体形成し、この側枠１６の一部としても良い。右側板２４は円形又は円筒状に形成してあり、左側板２２は、図２に示すように、円筒状部の一部を径方向外方に膨出させた異形形状に形成してある。なお、本明細書中で、左右は、図１の紙面における左右をいう。
【００１２】
釣糸が巻回されるスプール２８は、左右の外側板２２，２４間に回転自在に支持され、一対の鍔部２８ｃ間に釣糸ｔ（図３（Ａ）参照）が巻回される胴部２８ｂを有し、このスプール２８を回転駆動する巻取り駆動機構３０が、左側板２２と左側枠１４で区画されるギヤボックスの内部空間内に収容される。このギヤボックスの内部空間内には、この巻取り駆動機構３０の他にも、巻取り駆動機構３０に連動回転して側枠１４，１６間に延びる螺軸３５（図３（Ａ）および図３（Ｂ）参照）で案内されつつ筒体３４上でラインガイド３６を左右に往復動し、スプール２８の胴部２８ｂ上に釣糸ｔを均等に巻回するレベルワインド機構Ｌや、ドラグ機構等の各種部材が収容される。
【００１３】
本実施形態のスプール２８は、このリール本体１２の側枠１４，１６を貫通するスプール軸２８ａ（図１）で支えられており、このスプール軸２８ａは、両端部が、例えばボール軸受３８ａ，３８ｂを介してリール本体１２に回転自在に支持され、このスプール２８と共に回転する。このスプール軸２８ａの一端側から左側枠１４を通して突出する端部は、このスプール軸２８ａと一体で同軸状に配置されるピニオン軸４０ａとして形成してあり、このピニオン軸４０ａ上に、ハンドル４２で回転駆動されるピニオン４０が移動可能に支持されている。
【００１４】
このピニオン４０は、ピニオン軸４０ａを挿通する筒状構造を有し、左側枠１４および左側板２２で支えられた軸受（図示しない）により、リール本体１２に対して回転可能かつ軸方向に移動可能に支持されている。本実施形態では、側枠１４，１６間に配置したクラッチレバー４４（図３（Ａ）参照）を介してクラッチ機構をＯＮ／ＯＦＦ操作することにより、ピニオン４０は、スプール軸２８ａに嵌合してスプール軸２８ａと一体的に回転する係合位置と、スプール軸２８ａとの係合状態が解除された非係合位置との間を、ピニオン軸４０ａに沿って移動することができる。
【００１５】
このピニオン４０の移動は、ピニオン４０の周溝４０ｂに係合するヨーク４６（図１）を、クラッチ機構のＯＮ／ＯＦＦ操作に連動させて、ピニオン軸４０ａに沿って移動することで行うことができ、スプール２８が自由に回転できるクラッチＯＦＦの状態で、ハンドル４２を回転すると、公知の復帰機構によりクラッチＯＮの状態に戻り、釣糸をスプール２８に巻き取ることができる。なお、本実施形態では、左側板２２に配置した調節ネジ２３を介してピニオン軸４０ａを押圧し、スプール軸２８ａに作用する摩擦力を調整することができる。
【００１６】
さらに、左側枠１４と左側板２２とで形成されるギヤボックス内には、一端に締付けナット４３でハンドル４２を取付けたハンドル軸４２ａがピニオン軸４０ａと平行に配置されており、このハンド４２を回転することにより、巻取り駆動機構３０を介してスプール２８が回転駆動される。締付ナット４３は、小ネジ等でハンドル４２に固定される回り止め４３ａにより、回り止めすることが好ましい。
【００１７】
このハンドル軸４２ａは、左側枠１４および左側板２２にそれぞれ軸受４５（左側枠１４側のみを示す）で回転可能に支持されている。このハンドル軸４２ａをハンドル４２側で支える軸受は、左側板２２の略円筒状に突出する突出部２５（図１)内に設けてあり、この突出部２５内には、ハンドル軸４２ａの釣糸巻回方向への回転を許容し、逆方向の回転を阻止する一方向クラッチが配置されている。
【００１８】
また、ハンドル軸４２ａには、ドラグ機構と共に巻取り駆動機構３０の一部を形成するドライブギャ４８が回転可能に装着されており、ハンドル軸４２ａ上でスタードラグ４１を回転することにより、ハンドル軸４２ａに対するドライブギャ４８の摩擦結合力を変え、所望のドラグ力に調整することができる。これにより、ハンドル４２の回転操作による駆動力は、ドラグ機構を介してドライブギャ４８に伝達され、このドライブギャ４８からピニオンギャ４０とスプール軸２８ａとを介してスプール２８に伝達される。魚が掛かったときに、釣糸放出方向にスプール２８を回転する力がドラグ力を超えると、ドライブギャ４８がドラグ力に抗して回転し、スプール２８が釣糸繰出し方向に回転し、糸切れを防止する。
【００１９】
このドライブギャ４８の回転で、スプール２８上に釣糸を均等に巻回するレベルワインド機構Ｌのラインガイド３６がスプール軸２８ａに沿って往復動される。このラインガイド３６は、スプール２８から釣糸を繰出す前方側で左右の側板２２，２４間に延びる筒体３４（図３（Ａ）参照）に摺動自在に設けられている。この筒体３４内には螺軸３５が配置され、この螺軸３５は、一端に配置した図示しない連動歯車を上述のドライブギャ４８の小径部４８ａで回転駆動される。螺軸３５がドライブギャ４８で回転駆動されると、螺軸３５の外周面に設けたトラバース溝（図示しない）に係合する係合子３４ａが筒体３４と平行に延びるガイド軸３２に沿って左右に摺動する。これにより、ラインガイド３６を通して、釣糸ｔ（図５）がスプール２８上に均等に釣糸を巻回される。
【００２０】
この魚釣用リール１０は、キャスティング操作や釣糸の巻取り操作性の向上を図るために、リール本体１２の外径をコンパクト化し、回転伝達効率を向上させるために、ドライブギャ４８を大型化してある。  
このため、左側枠１４と左側板２２との外周部は、リール本体１２の後方かつ上方の部位でスプール軸２８ａを囲む円筒状部５０に対して、ドライブギャ４８を囲む前方かつ下方部位を径方向外方に膨出させた異形の周壁からなる膨出部５２として形成し、この膨出部５２内にドライブギャ４８の外周部を収容してある。
【００２１】
本実施形態では、円筒状部５０を左側板２２と一体の周壁で形成し、膨出部５２を左側枠１４と一体の周壁で形成してある。これらの左側枠１４と左側板２２とは、円筒状部５０に配置した本実施形態では３本の固定ネジ２１により、一体的に固定してある。膨出部５２にはこのような固定ネジは設けてない。これにより、左側枠１４と左側板２２とを高精度に位置決めして固定することができ、これらの左枠１４と左側板２２とが非円形の異形形状であっても、内部に収容する歯車の噛合い性能、耐久性の低下を防止することができる。
【００２２】
図１、図３（Ａ）および図３（Ｂ）に示すように、側枠１４，１６には、凹部６２ａ，６２ｂが対向した状態に形成されている。凹部６２ａ，６２ｂには、左右方向に延びた１対の支柱６４ａ，６４ｂを有する保護フレーム（支柱用枠体）６４が固定されている。すなわち、図１に示すように、保護フレーム６４には、上側の支柱６４ａと下側の支柱６４ｂとが例えば平行に配置されている。このため、保護フレーム６４は、上下に対向する支柱６４ａ，６４ｂによりラインガイド３６を囲うための第１の開口部（窓状開口部）Ｓ１を形成する。
【００２３】
なお、この保護フレーム６４は釣りを行っているとき（リール取付脚部２６に釣竿Ｒを取り付けているとき）には取り外せない（取り外し難い）が、釣りを行っていないときに工具を用いることによって凹部６２ａ，６２ｂに対して着脱できるように例えば図示しないネジやピン等により固定されていることが好ましい。
【００２４】
そして、これら支柱６４ａ，６４ｂの外表面は、円形の側枠１６の中心と同心の円弧状（円弧面）に形成され、かつ、側枠１６の外周面１６ａよりも外側にある。すなわち、図３（Ａ）に示すように、支柱６４ａ，６４ｂは、側枠１６の外周面１６ａに対してそれぞれ突出量Ｈ１だけ突出している。突出量Ｈ１は側枠１４，１６間に配置されるラインガイド３６の形状、大きさに応じて適宜設定されるが、０．５ｍｍから３ｍｍ程度であることが好ましい。支柱６４ａ，６４ｂの外表面はラインガイド３６の前面３６ａに対して略面一またはそれよりも外側にあることが好ましい。
【００２５】
このように、側枠１６の中心に対してラインガイド３６の前面３６ａよりも遠い位置に突出量Ｈ１を設定した支柱６４ａ，６４ｂによってラインガイド３６を囲うことにより、釣り人が魚釣用リール１０を後方側から保持している際にレベルワインド機構Ｌにより左右に往復動するラインガイド３６の動作によっても釣り人の指等を保護することができる。また、釣り人が魚釣用リール１０をその後方から保持している際に釣り人の指がレベルワインド機構Ｌ（ラインガイド３６）に当たってラインガイド３６に外力が加えられる等、外力が加えられるのを防止できる。また、ラインガイド３６は側枠１６の外周面１６ａよりも突出した保護フレーム６４によって囲まれているので、ラインガイド３６（レベルワインド機構Ｌ）を異物侵入から保護することができる。
【００２６】
この保護フレーム６４は、スプール２８の上側かつラインガイド３６側に位置する支柱６４ａの上面に、後方からリール本体１２を握持した手の親指を容易に載置することのできる平坦状の指載置面６５を形成してある。この指載置面６５は、取付脚部２６を介して取付けられる釣竿Ｒに沿って前後方向に延び、スプール軸２８ａに沿って左右に延びる略横長の形状に形成してあり、後方に配置されるクラッチレバー４４との間に、スプール２８の釣糸巻回胴部２８ｂが露出する第２の開口部Ｓ２を形成する。すなわち、保護フレーム６４の支柱６４ａとクラッチレバー４４との間に第２の開口部Ｓ２を形成する。
【００２７】
そして、この指載置面６５を形成する支柱６４ａは、その外側面が上述の円筒状部５０および右側の側枠１６の外周面１６ａから例えば同心円状に径方向外方に突出（例えば３〜５ｍｍ程度）しており、これにより、指載置面６５の前後方向の寸法を拡大し、平坦状の指載置面６５の面積をより広くして載置した指の安定を図り、握持性を向上させてある。この指載置面６５は、平坦面で形成されることにより、リール本体１２を保持する際に、親指の前方への滑りを確実に防止することができる。
【００２８】
なお、この載置面６５は、親指を確実かつ安定した状態で載置できるものであれば、凸状又は凹状に形成したものであってもよく、その表面に例えば滑り止め等を形成することも可能である。
【００２９】
このような指載置面６５を区画する保護フレーム６４は、この指載置面６５と、左側枠１４の円筒状部５０の外周面および右側枠１６の外周面１６ａとの間に段差Ｈ２を形成する。また、指載置面６５との間に、載置した親指の滑りを防止するため、指載置面６５と左側板１４及び右側板１６の内側面との間には、湾曲面からなる規制壁部５６，５８が形成されている。規制壁部５６，５８を形成する載置面６５と側枠１４，１６の外周面１４ａ，１６ａとの間の段差Ｈ２は、例えば４ｍｍから６ｍｍ程度に形成することが好ましい。
【００３０】
また、指載置面６５は、第２の開口部Ｓ２から、載置した親指の腹部でスプール２８に巻回した釣糸の外周に触れること（サミング操作）ができるように、スプール軸２８ａの上部前方側に離間した位置に配置することが好ましい。
【００３１】
図３（Ａ）は、このような保護フレーム６４をリール本体１２のフレーム２０に固定した魚釣用リール１０を用いた魚釣り操作の一例を示す。
【００３２】
例えば、仕掛けを遠くに投擲するキャスティング、魚とのやり取りを行う合わせ操作、又は、釣糸ｔの巻取り等の操作を行う場合、釣り人は魚釣用リール１０の後方からリール本体１２を握持し、その親指をリール本体１２の保護フレーム６４の上側支柱６４ａに形成した指載置面６５に載置する。右側枠１６および右側板２４が側面視で円形に形成されているため、手の平全体にリール本体１２の後方を包む状態で握持することができる。また、反対側においても、膨出部５２が前方かつ下方に配置され、後方部位には円筒状部５０が配置されているため、この左側枠１４および左側板２２側からも、同様にリール本体１２の後方部位を手の平に包み込む状態に握持することができる。したがって、左右のいずれからもリール本体１２の握持が容易である。
【００３３】
このようにリール本体１２を握持した際、親指を保護フレーム６４の上側支柱６４ａの指載置面６５に載置し、魚釣用リール１０を握持する場合には、指載置面６５が平坦状に形成されていることにより、保護フレーム６４が固定されたフレーム２０を介して魚釣用リール１０を釣竿Ｒ上で確実に押さえることができる。指載置面６５が釣竿Ｒの方向およびスプール軸２８ａの方向に延びる平坦状であるため、載置した指が安定し、合わせ操作やハンドル４２による巻取り操作を安定した状態で行うことができる。
【００３４】
さらに、指載置面６５が左右の側枠１４，１６に形成した規制壁部５６，５８で左右方向に区画され、外周面１４ａ，１６ａとの間に段差Ｈ２が形成されているため、載置した指をこの指載置面６５から滑って外れるのを確実に防止することができる。また、平坦状の指載置面６５の後縁部および前縁部が直線状に形成されていることのより、これらの縁部を介して指を係止することもできる。
【００３５】
また、このように親指を指載置面６５に載置したときに、第２の開口部Ｓ２から、胴部２８ｂ上に巻回した釣糸ｔが外部に露出しているため、指載置面６５に載置した指の腹側でスプール２８上の釣糸ｔに軽く触れるサミング操作を極めて確実かつ容易に行うことができる。
【００３６】
したがって、上述の魚釣用リール１０は、親指載置面６５を介して安定した状態でリール本体１２を保持することができ、実釣時に必要な種々の操作を確実かつ容易に行うことができる。
【００３７】
その他、保護フレーム６４を別体としたことにより、円形フレーム２０の加工を容易に行うことができる。また、保護フレーム６４を選択する際にフレーム２０と異なった材質を選定することが可能となり、釣り人がリール１０を保持する際の指等の保護及び外観のバリエーションを向上できる。例えば、保護フレーム６４の支柱６４ａのうち、第１の開口部Ｓ１側と第２の開口部Ｓ２側とで突出量Ｈ１を変えたり、例えば、手や指の形や大きさに合わせて突出量Ｈ１を変えることによって、釣り人が魚釣用リール１０を保持した際のフィット感が得られるとともに、指等の保護にも大きく寄与することができる。また、フレーム２０には例えばアルミニウム合金等の金属材を用いることが好適であるが、保護フレーム６４には例えばフレーム２０とは異なる樹脂材等を用いることができる。また、保護フレーム６４は着脱することができるので、所望の装飾を容易に施す、または装飾を施した保護フレーム６４を容易に用いることができる。また、保護フレーム６４を取り外すことにより実用経過に伴う部品交換等のメンテナンス性を向上させることができる。
【００３８】
なお、支柱６４ａ，６４ｂは、図１に示す左右方向に同じ突出量Ｈ１だけ突出されていることが必要なわけではなく、各支柱６４ａ，６４ｂの中央の方が端部側に比べて突出量Ｈ１が大きいことやその逆でも良い。また、各支柱６４ａ，６４ｂの外周面が波形等に形成されて突出量Ｈ１を適宜設定しても良い。
【００３９】
次に、第２の実施の形態について図４を用いて説明する。この実施の形態は第２の実施の形態の変形例である。
【００４０】
図４に示すように、この実施の形態の保護フレーム６４は、下側の支柱６４ｂだけを有し、その支柱６４ｂがフレーム２０に対して着脱可能に形成してある。そして、この実施の形態に係るリール本体１２は、左右一対の側枠１４，１６を上側の支柱６４ａで連結して一体の枠体構造を形成するフレーム２０を有し、この側枠１４，１６のそれぞれの外側に外側板２２，２４を取付けて、ハウジングとして形成されている。
【００４１】
側枠１４，１６には、下側の保護フレーム６４の支柱６４ｂが取り付けられるように、凹部６２ａ，６２ｂが対向した状態に形成されている。そして、これら凹部６２ａ，６２ｂには、左右方向に延びた支柱６４ｂを有する保護フレーム６４が固定されている。すなわち、図４に示すように、保護フレーム６４が凹部６２ａ，６２ｂに固定されているときには、フレーム２０の支柱（上側の支柱）６４ａと、保護フレーム６４の支柱（下側の支柱）６４ｂとが例えば平行に配置されている。このため、フレーム２０の上側の支柱６４ａと、保護フレーム６４の下側の支柱６４ｂとは、上下に対向する支柱６４ａ，６４ｂによりラインガイド３６を配設するための第１の開口部（窓状開口部）Ｓ１を形成する。
【００４２】
そして、フレーム２０の支柱６４ａは側枠１６の外周面１６ａよりも突出した状態に形成され、保護フレーム６４の支柱６４ｂは側枠１６の外周面１６ａよりも突出した状態に固定されている。このため、第１の実施の形態で説明したように１対の支柱６４ａ，６４ｂでラインガイド３６を囲うことができる。
【００４３】
次に、第３の実施の形態について図５から図７を用いて説明する。この実施の形態は第１および第２の実施の形態の変形例である。
【００４４】
図５から図７に示すように、この実施の形態は保護フレーム６４がリール本体１２のフレーム２０に一体形成された例である。すなわち、リール本体１２は、左右一対の側枠１４，１６を保護フレーム６４（少なくとも１対の支柱６４ａ，６４ｂ）で連結して一体の枠体構造を形成してラインガイド３６（レベルワインド機構Ｌ）や指等を保護するフレーム２０を有し、この側枠１４，１６のそれぞれの外側に、外側板２２，２４を取付けて、ハウジングとして形成される。
【００４５】
なお、支柱６４ａ，６４ｂの外周面には、滑り止め等を固定可能であることが好ましい。このようにすると、滑り止め等にフレーム２０と異なった材質選定が可能となり、リール１０の保持の際の釣り人の保護及び外観のバリエーションが向上する。なお、支柱６４ａ，６４ｂの外周面の位置も、滑り止め等の厚さを変化させることによって容易に変更することができる。
【図面の簡単な説明】
【００４６】
【図１】第１の実施の形態に係る魚釣用リールを示す正面図。
【図２】第１の実施の形態に係る魚釣用リールのハンドル側の側面図。
【図３】（Ａ）は第１の実施の形態に係る図１のＩＩＩ−ＩＩＩ線に沿う断面図、（Ｂ）は図３（Ａ）から保護フレームを取り外した状態または保護フレームを取り付ける状態を示す概略的な断面図。
【図４】（Ａ）は第２の実施の形態に係る魚釣用リールの断面図であって、図１のＩＩＩ−ＩＩＩ線と同様の位置に沿う断面図、（Ｂ）は図４（Ａ）から保護フレームを取り外した状態または保護フレームを取り付ける状態を示す概略的な断面図。
【図５】第３の実施の形態に係る魚釣用リールを示す正面図。
【図６】第３の実施の形態に係る魚釣用リールの図５のＶＩ−ＶＩ線に沿う断面図。
【図７】第３の実施の形態に係る魚釣用リールの概略的な斜視図。
【符号の説明】
【００４７】
１０…魚釣用リール、１２…リール本体、１４，１６…側枠、２０…フレーム、２２，２４…外側板、２８…スプール、２８ａ…スプール軸、３４…筒体、３４ａ…係合子、３６…ラインガイド、４２…ハンドル、５６，５８…規制壁部、６２ａ，６２ｂ…凹部、６４…保護フレーム、６４ａ…上側支柱、６４ｂ…下側支柱、Ｌ…レベルワインド機構。
【図１】
2010081883.tif 000003
【図２】
2010081883.tif 000004
【図３】
2010081883.tif 000005
【図４】
2010081883.tif 000006
【図５】
2010081883.tif 000007
【図６】
2010081883.tif 000008
【図７】
2010081883.tif 000009